(57)【要約】【課題】システムのセキュリティ性が高まり、不正に模造された要素機器の使用を簡単に防止することが可能で、ホスト装置の主性能を一定に保つことができる純正機器判別システム、これによる純正機器判別方法を提供する。【解決手段】外部に対して送信するコマンドを生成するコマンド生成モジュール、外部から送られた各種情報を判定する情報判定モジュールを有するリーダ・ライタ１１を備えるホスト装置１と、ホスト装置１の純正規格に適応する純正要素機器２としての各種情報を格納するメモリ、コマンドが正規のコマンドであるか否かを判定する認識信号判定モジュール、コマンドが正規のコマンドであると判定された場合、メモリに格納された情報をメモリから読み出し、リーダ・ライタ１１に対して送信可能にする情報読み出しモジュールを有する無線タグ２０を備える要素機器２とを備える。【選択図】      図１
2004341836.tif 000002
【特許請求の範囲】
【請求項１】
外部に対して送信するコマンドを生成するコマンド生成モジュール、外部から送られた情報を判定する情報判定モジュールを有するリーダ・ライタを備えるホスト装置と、
前記ホスト装置の純正規格に適応する純正要素機器としての情報を格納するメモリ、前記コマンドが正規のコマンドであるか否かを判定する認識信号判定モジュール、前記コマンドが正規のコマンドであると判定された場合、前記メモリに格納された情報を前記メモリから読み出し、前記リーダ・ライタに対して送信可能にする情報読み出しモジュールを有する無線タグを備える要素機器
とを備えることを特徴とする純正機器判別システム。
【請求項２】
前記メモリは、
前記ホスト装置の純正規格に適応する純正要素機器としての要素機器情報を格納する要素機器情報格納部と、
前記無線タグの固有の番号であるカードアドレスを格納するカードアドレス情報格納部
とを備えることを特徴とする請求項１に記載の純正機器判別システム。
【請求項３】
前記無線タグは、互いに独立に動作する第１及び第２遷移フラグを備え、該第１及び第２遷移フラグの遷移状態により、前記リーダ・ライタと前記無線タグとの間の通信状態が制御されることを特徴とする請求項２に記載の純正機器判別システム。
【請求項４】
前記無線タグは、前記メモリに格納された前記要素機器情報を送信後、前記第１遷移フラグを初期状態である第１遷移状態に維持、又は該第１遷移状態から、該第１遷移状態とは異なる第２遷移状態へ状態遷移させることを特徴とする請求項３に記載の純正機器判別システム。
【請求項５】
前記無線タグは、前記要素機器の履歴に応じて、前記第１遷移フラグを前記第１遷移状態に維持するか前記第２遷移状態へ状態遷移させるかを判断することを特徴とする請求項４に記載の純正機器判別システム。
【請求項６】
前記無線タグは、前記要素機器が使用済みの場合、前記第１遷移フラグを前記第１遷移状態に維持することを特徴とする請求項５に記載の純正機器判別システム。
【請求項７】
前記無線タグは、前記メモリに格納された前記カードアドレスを送信後、前記第２遷移フラグを初期状態である第１遷移状態から、該第１遷移状態とは異なる第２遷移状態へ状態遷移させることを特徴とする請求項３〜６のいずれか１項に記載の請求項２に記載の純正機器判別システム。
【請求項８】
ホスト装置と、該ホスト装置に対して用いられ、前記ホスト装置からのコマンドが、正規のコマンドであるか否かを判定する認識信号判定モジュール、メモリに格納された情報を前記メモリから読み出し、前記ホスト装置に対して送信可能にする情報読み出しモジュールを有する無線タグを備える要素機器との組み合わせからなり、該要素機器が前記ホスト装置の純正な規格に適応した純正機器であるか否かを判別するシステムに用いられるホスト装置に用いられるリーダ・ライタであって、
前記無線タグに対して送信する前記コマンドを生成するコマンド生成モジュールと、
前記無線タグから送られた情報を判定する情報判定モジュール
とを備えることを特徴とするリーダ・ライタ。
【請求項９】
外部に対して送信するコマンドを生成するコマンド生成モジュール、外部から送られた情報を判定する情報判定モジュールを有するリーダ・ライタを備えるホスト装置と、該ホスト装置に対して用いられる要素機器との組み合わせからなり、該要素機器が前記ホスト装置の純正な規格に適応した純正機器であるか否かを判別するシステムに用いられる要素機器に備えられる無線タグであって、
前記ホスト装置の純正規格に適応する純正要素機器としての情報を格納するメモリと、
前記コマンドが、正規のコマンドであるか否かを判定する認識信号判定モジュールと、
前記コマンドが、正規のコマンドであると判定された場合、前記メモリに格納された情報を前記メモリから読み出し、前記リーダ・ライタに対して送信可能にする情報読み出しモジュール
とを備えることを特徴とする無線タグ。
【請求項１０】
前記メモリは、
前記ホスト装置の純正規格に適応する純正要素機器としての要素機器情報を格納する要素機器情報格納部と、
前記無線タグの固有の番号であるカードアドレスを格納するカードアドレス情報格納部
とを備えることを特徴とする請求項９に記載の無線タグ。
【請求項１１】
互いに独立に動作する第１及び第２遷移フラグを更に備え、該第１及び第２遷移フラグの遷移状態により、前記リーダ・ライタと前記無線タグとの間の通信状態が制御されることを特徴とする請求項１０に記載の無線タグ。
【請求項１２】
前記メモリに格納された前記要素機器情報を送信後、前記第１遷移フラグを初期状態である第１遷移状態に維持、又は該第１遷移状態から、該第１遷移状態とは異なる第２遷移状態へ状態遷移させることを特徴とする請求項１１に記載の無線タグ。
【請求項１３】
前記要素機器の履歴に応じて、前記第１遷移フラグを前記第１遷移状態に維持するか前記第２遷移状態へ状態遷移させるかを判断することを特徴とする請求項１２に記載の無線タグ。
【請求項１４】
前記要素機器が使用済みの場合、前記第１遷移フラグを前記第１遷移状態に維持することを特徴とする請求項１３に記載の無線タグ。
【請求項１５】
前記メモリに格納された前記カードアドレスを送信後、前記第２遷移フラグを初期状態である第１遷移状態から、該第１遷移状態とは異なる第２遷移状態へ状態遷移させることを特徴とする請求項１１〜１４のいずれか１項に記載の無線タグ。
【請求項１６】
ホスト装置と、該ホスト装置に対して用いられる要素機器との組み合わせからなるシステムにおいて、前記要素機器が前記ホスト装置の純正な規格に適応した純正機器であるか否かを判別する方法であって、
前記ホスト装置のリーダ・ライタから、前記要素機器が有する無線タグに対して、要素機器情報要求コマンドを送信するステップと、
前記無線タグの認識信号判定モジュールが、前記要素機器情報要求コマンドが、前記要素機器が前記ホスト装置の純正規格に適応することを示すコマンドであるか否かを判定するステップと、
前記要素機器が前記ホスト装置の純正規格に適応すると判定された場合、前記要素機器の情報である要素機器情報を前記無線タグが内蔵するメモリから読み出し、前記リーダ・ライタに対して送信するステップと、
前記リーダ・ライタが、前記要素機器情報から、前記要素機器が前記ホスト装置の純正規格に適応するか否かを判定するステップ
とを含むことを特徴とする純正機器判別方法。
【請求項１７】
前記無線タグは、第１遷移フラグ及び第２遷移フラグを備え、前記要素機器情報を送信するステップの後、前記第１遷移フラグを初期状態である第１遷移状態に維持、又は該第１遷移状態から、該第１遷移状態とは異なる第２遷移状態へ状態遷移させるステップ
を更に含むことを特徴とする請求項１６に記載の純正機器判別方法。
【請求項１８】
前記無線タグは、前記要素機器の履歴に応じて、前記第１遷移フラグを前記第１遷移状態に維持するか前記第２遷移状態へ状態遷移させるかを判断することを特徴とする請求項１７に記載の純正機器判別方法。
【請求項１９】
前記無線タグは、前記要素機器が使用済みの場合、前記第１遷移フラグを前記第１遷移状態に維持することを特徴とする請求項１８に記載の純正機器判別方法。
【請求項２０】
前記ホスト装置から前記無線タグに対しカードアドレス要求コマンドを送信するステップと、
前記無線タグが、前記カードアドレス要求コマンドに基づき前記無線タグの固有の番号であるカードアドレスを前記メモリから読み出し、前記リーダ・ライタに対して送信するステップ
とを更に含むことを特徴とする請求項１９に記載の純正機器判別方法。
【請求項２１】
前記カードアドレスを送信するステップの後、前記第２遷移フラグを初期状態である第１遷移状態から、該第１遷移状態とは異なる第２遷移状態へ状態遷移させるステップ
を更に含むことを特徴とする請求項２０に記載の純正機器判別方法。
【請求項２２】
前記カードアドレスに基づいて前記無線タグへのアクセスに使用するアクセスキーを生成するステップ
を更に含むことを特徴とする請求項２０又は２１に記載の純正機器判別方法。
【発明の詳細な説明】
【０００１】
【発明の属する技術分野】
本発明は、純正規格機器（純正部品）と外装（外観）が同じ模造機器（模造部品）を排除して、純正規格機器のみを使用できるように、ホスト装置が識別できる純正機器判別システム、これによる純正機器判別方法、これらに用いられるリーダ・ライタ及び無線タグに関する。
【０００２】
【従来の技術】
個々の物体や人の情報を識別する方法としては、バーコード、磁気カード、ＩＣカードなど様々な方法が知られている。最近、無線タグと呼ばれる電子荷札（タグ）が注目されている。この無線タグは、形状に制限のない非接触型ＩＣカードと考えることも可能であるが、バーコードに比べ複数情報を同時に認識できる他、大容量情報の記録が可能なうえ、情報を無線で書き換えることができる。このため、最新の商品情報と付帯情報を一括管理することが可能となり、効率よく高い精度の商品管理が可能になると期待されている。又、磁気カードやＩＣカードに比べ情報量に制限があるものの、無線タグは、安価であるうえ、リーダに近づけるだけで情報を読み取ることができる。このため、摩耗や破損などの心配がなく汚れなどによる認識劣化がないので、取り扱いが手軽で効率的な自動化システムを構築することができる利点を有する。更に、リーダ・ライタからの磁力線により発生する電力を利用して、無線タグのメモリに記憶している情報をリーダのアンテナに送り通信を行うことが可能である。このため、無線タグ側には電池が不要でメンテナンスの必要がない利点を有する。
【０００３】
このため、無線タグから直接その端末識別情報を取得する取得手段と、無線タグと情報交換を行う近距離無線通信手段と備え、近距離無線通信により情報交換を行うべき通信相手の特定（より具体的には、通信相手とすべき無線タグの端末識別情報の取得すること）が容易にしかも確実に行えるキャッシュレジスタ装置が提案されている（例えば、特許文献１参照。）。
【０００４】
【特許文献１】
特開２００２−６３６５２号公報（第９−１０頁、図２）
【０００５】
【発明が解決しようとする課題】
従来の様々なホスト装置と、そのホスト装置に取り付けられている消耗品等の要素機器との組み合わせからなるシステムにおいて、要素機器がそのホスト装置の規格に適応しているかは、その要素機器をホスト装置に取り付けてホスト装置を実際に動作させてなければ、判断はできなかった。更に、例えば著しく品質の劣る不法コピー品等の要素機器が出回った場合、外見上ではその判断がつかず、そのホスト装置の本来の品質を保つことができなくなり、それを使用したことが原因でホスト装置の故障する可能性がある。
【０００６】
又、特許文献１に記載されているような、従来の無線タグでは、無線タグ内に格納された情報データが流出する可能性があった。
【０００７】
上述した問題点を鑑み、本発明は、システムのセキュリティ性が高まり、不正に模造された要素機器の使用を簡単に防止することが可能で、ホスト装置の主性能及びホスト装置の結果物（製品）の品質を一定に保つことができる純正機器判別システム、これによる純正機器判別方法、これらに用いられるリーダ・ライタ及び無線タグを提供することを目的とする。
【０００８】
【課題を解決するための手段】
上記の目的を達するために、本発明の第１の特徴は、（イ）外部に対して送信するコマンドを生成するコマンド生成モジュール、外部から送られた各種情報を判定する情報判定モジュールを有するリーダ・ライタを備えるホスト装置と、（ロ）ホスト装置の純正規格に適応する純正要素機器としての各種情報を格納するメモリ、コマンドが正規のコマンドであるか否かを判定する認識信号判定モジュール、コマンドが正規のコマンドであると判定された場合、メモリに格納された情報をメモリから読み出し、リーダ・ライタに対して送信可能にする情報読み出しモジュールを有する無線タグを備える要素機器とを備える純正機器判別システムであることを要旨とする。
【０００９】
本発明の第２の特徴は、ホスト装置と、このホスト装置に対して用いられ、ホスト装置からのコマンドが、正規のコマンドであるか否かを判定する認識信号判定モジュール、メモリに格納された情報をメモリから読み出し、ホスト装置に対して送信可能にする情報読み出しモジュールを有する無線タグを備える要素機器との組み合わせからなり、この要素機器がホスト装置の純正な規格に適応した純正機器であるか否かを判別するシステムに用いられるホスト装置に用いられるリーダ・ライタに関する。即ち、このリーダ・ライタが、（イ）無線タグに対して送信するコマンドを生成するコマンド生成モジュールと、（ロ）無線タグから送られた各種情報を判定する情報判定モジュールとを備えることを要旨とする。
【００１０】
本発明の第３の特徴は、外部に対して送信するコマンドを生成するコマンド生成モジュール、外部から送られた各種情報を判定する情報判定モジュールを有するリーダ・ライタを備えるホスト装置と、このホスト装置に対して用いられる要素機器との組み合わせからなり、この要素機器がホスト装置の純正な規格に適応した純正機器であるか否かを判別するシステムに用いられる要素機器に備えられる無線タグに関する。即ち、この無線タグが、（イ）ホスト装置の純正規格に適応する純正要素機器としての各種情報を格納するメモリと、（ロ）コマンドが、正規のコマンドであるか否かを判定する認識信号判定モジュールと、（ハ）コマンドが、正規のコマンドであると判定された場合、メモリに格納された情報をメモリから読み出し、リーダ・ライタに対して送信可能にする情報読み出しモジュールとを備えることを要旨とする。
【００１１】
本発明の第４の特徴は、ホスト装置と、このホスト装置に対して用いられる要素機器との組み合わせからなるシステムにおいて、要素機器がホスト装置の純正な規格に適応した純正機器であるか否かを判別する方法に関する。即ち、本発明の第４の特徴に係る純正機器判別方法は、（イ）ホスト装置のリーダ・ライタから、要素機器が有する無線タグに対して、要素機器情報要求コマンドを送信するステップと、（ロ）無線タグの認識信号判定モジュールが、要素機器情報要求コマンドが、要素機器がホスト装置の純正規格に適応することを示すコマンドであるか否かを判定するステップと、（ハ）要素機器がホスト装置の純正規格に適応すると判定された場合、要素機器の情報である要素機器情報を無線タグが内蔵するメモリから読み出し、リーダ・ライタに対して送信するステップと、（ニ）リーダ・ライタが、要素機器情報から、要素機器がホスト装置の純正規格に適応するか否かを判定するステップとを含むことを要旨とする。
【００１２】
【発明の実施の形態】
次に、図面を参照して、本発明の第１及び第２の実施の形態を説明する。以下の図面の記載において、同一又は類似の部分には同一又は類似の符号を付している。但し、図面は模式的なものであり、各構成要素の大きさの比率等は現実のものとは異なることに留意すべきである。
【００１３】
（第１の実施の形態）
本発明の第１の実施の形態に係る純正機器判別システムは、図１に示すように、リーダ・ライタ１１及びホストコンピュータ（マイクロプロセッサ）１２等を備えるホスト装置１と、純正機器判別用の無線タグ２０を備えた要素機器２との組み合わせからなる。「要素機器２」とは、ホスト装置１と組み合わせて用いられる部品となる機器で、一般には、例えば、「消耗品」と称せられる比較的寿命の短い機器である。一方、ホスト装置１は、一般には、例えば、「備品」となる比較的長寿命の電子装置や機械装置である。例えば、図１のように、ホスト装置１をコピー機とすれば、要素機器２は、このコピー機の消耗品であるトナーボトル、及びこのトナーボトルに収納されたトナーが該当する。ホスト装置１としては、他に家電製品や工作機械等種々の装置が該当する。例えば、ホスト装置１が工作機械の高速切断機であれば、要素機器２は切断砥石でも良い。
【００１４】
尚、技術革新の進歩を考慮すれば、ホスト装置１は、必ずしも、税法上の「備品」となる比較的長寿命の電子装置や機械装置である必要はなく、要素機器２と同程度の寿命の短い装置でも構わない。
【００１５】
いずれにせよ、第１の実施の形態に係る純正機器判別システムは、要素機器（消耗品）２をホスト装置（備品）１の近傍に近づける若しくは、所定の収納場所に挿入し、ホスト装置１を起動すると、若しくはホスト装置１が所定の状態に到達すると、ホスト装置１と要素機器（消耗品）２との間で、無線通信で情報交換をすることができる。
【００１６】
純正機器判別用の無線タグ２０は、ＩＣチップ２１と送受信アンテナ２２を内部に埋め込み通信機能を備えた電子荷札（タグ）である。「無線タグ２０」は、非接触式ＩＣカードと比べて形状に制限がなく、要素機器２の形状に合わせた形状の選択が可能である。無線タグ２０は、一般に、１ｍ以内の通信距離用の「近接・近傍型」、数メートルの通信距離用の「マイクロ波型（数メートル）」に分類されるが、図１のような構成では、近接・近傍型が採用可能である。しかし、近接・近傍型に限定されるものではなく、使用の形態に応じて、マイクロ波型であっても良いことは勿論である。上記において例示した高速切断機の要素機器２としての切断砥石の場合は、砥粒と同程度の豆粒程度の無線タグ２０を切断砥石に混ぜて、切断砥石の摩耗と共に、無線タグ２０が消失するようにすれば、セキュリティ上好ましい。しかし、切断砥石のシャフトに貼り付け、切断砥石の摩耗と共には消失しないような構成でも良い。更に、切削装置（ホスト装置１）と切削油（要素機器２）の組み合わせように、要素機器２の実体は液体等でも、その容器に無線タグ２０が内蔵若しくは、貼り付けられる構造であれば、第１の実施の形態に係る純正機器判別システムは適用可能である。
【００１７】
無線タグ２０は、図３に示すように、ＩＣチップ（半導体チップ）２１、及びＩＣチップ２１に接続された送受信アンテナ２２を備えている。送受信アンテナ２２は、コイル状のループアンテナでも、平板状のパッチアンテナでも良く、その他種々の形態が採用可能である。更に、複数のパッチアンテナを配列したアンテナアレーでも良い。尚、図３では、１個の送受信アンテナ２２が示されているが、送信アンテナと受信アンテナの２系列を備えても良い。更に、複数のパッチアンテナを配列したアンテナアレーでも良い。第１の実施の形態に係る純正機器判別システムにおいては、ホスト装置１から受信した純正機器判別用の信号により無線タグ２０の送受信アンテナ２２に、電場及び磁場を生じる。そして、送受信アンテナ２２に電磁誘導により誘導起電力を生じる。
【００１８】
そして、図３に示すように、無線タグ２０を構成するＩＣチップ２１は、送受信アンテナ２２と接続した変復調回路２３、変復調回路２３に接続された処理制御回路２４、処理制御回路２４に接続されたＥＥＰＲＯＭ等のメモリ２５等を備えている。変復調回路２３は、ホスト装置１からのＲＦ信号（電波信号）に含まれる要素機器信号等の信号を復調する復調回路と、メモリ２５に格納されている情報を送信するために変調する変調回路とを備えている。図３に示すように、１個の送受信アンテナ２２を有する場合は、復調回路の入力と変調回路への出力を切り替える切り替えスイッチ（図示省略）が送受信アンテナ２２と変復調回路２３の間に備えられている。変復調の方式は、位相変調、周波数変調或いは、振幅変調のいずれでも構わない。
【００１９】
ＩＣチップ２１に集積化されたメモリ２５は、ホスト装置１の純正規格に適応する純正要素機器２としての各種情報を格納する。このため、メモリ２５は、例えば、無線タグ２０の固有の番号であるカードアドレスを格納するカードアドレス情報格納部２５ａ及び要素機器２の固有の情報である要素機器情報を格納する要素機器情報格納部２５ｂ等を備える。ＩＣチップ２１に集積化された処理制御回路２４は、コマンドが正規のコマンドであるか否かを判定する認識信号判定モジュール２４ａ、コマンドが正規のコマンドであると判定された場合、メモリ２５に格納された情報をメモリ２５から読み出し、リーダ・ライタ１１に対して送信可能にする情報読み出しモジュール２４ｂを有する。認識信号判定モジュール２４ａは、例えば、ホスト装置１からの純正機器判別用の要素機器認識信号（要素機器情報要求コマンド）に基づき要素機器２がホスト装置１の純正規格に適応するか否かを判定する。情報読み出しモジュール２４ｂは、例えば、要素機器２がホスト装置１の純正規格に適応すると判定された場合に要素機器情報をメモリ２５の要素機器情報格納部２５ｂから読み出す。
【００２０】
この結果、無線タグ２０において、ＩＣチップ２１は、要素機器認識信号（要素機器情報要求コマンド）等の信号を送受信アンテナ２２を介してホスト装置１からのＲＦ信号（電波信号）を受信し、更に、メモリ２５に格納されている情報を変調してＲＦ信号（電波信号）を送受信アンテナ２２を介してホスト装置１に送信することができる。この様に、無線タグ２０は、電池等の電源を内蔵せず、非接触で無線タグ２０に内蔵されたメモリ２５の情報を読み出し又は書き込みを行うことができる。又、ＩＣチップ２１が内蔵するメモリ２５は、ＥＥＰＲＯＭ等の不揮発性メモリであるので、ＩＣチップ２１の電力が無くなってもメモリ２５に格納された情報が保持される。
【００２１】
ホスト装置１は、図２に示すように、リーダ・ライタ１１、リーダ・ライタ１１に接続されたホストコンピュータ（マイクロプロセッサ）１２、リーダ・ライタ１１に接続された送信アンテナ１３及びリーダ・ライタ１１に接続された受信アンテナ１４等を備える。送信アンテナ１３及び受信アンテナ１４は、送受信アンテナ２２と同様に、ループアンテナでも、パッチアンテナでも良い。更に、複数のパッチアンテナを配列したアンテナアレーでも良い。リーダ・ライタ１１は、要素機器認識信号（要素機器情報要求コマンド）等の信号を送信アンテナ１３を介して要素機器２に送信する。又、リーダ・ライタ１１は、要素機器２からの各種情報を受信アンテナ１４を介してＲＦ信号（電波信号）として受信する。ＲＦ信号（電波信号）のキャリア周波数は特に限定されないが、例えば、１３．５６ＭＨｚが使用可能である。更に、リーダ・ライタ１１は、要素機器２が発する電波信号（要素機器情報）に基づき要素機器２を認識する。ホストコンピュータ１２は、リーダ・ライタ１１を制御するマイクロプロセッサである。
【００２２】
ホスト装置１に内蔵若しくは搭載されたリーダ・ライタ１１は、図２に示すように、ホストコンピュータ１２に接続された処理制御回路１５、処理制御回路１５と送信アンテナ１３との間に接続された送信回路１６、処理制御回路１５と受信アンテナ１４との間に接続された受信回路１７等を備える。処理制御回路１５は、外部（要素機器２）に対して送信するコマンドを生成するコマンド生成モジュール１５ａ、外部（要素機器２）から送られた各種情報を判定する情報判定モジュール１５ｂを有するディジタルベースバンドプロセッサ（ＤＢＢＰ）である。
【００２３】
例えば、コマンド生成モジュール１５ａは、要素機器２の情報を要求するための要素機器情報要求コマンド（要素機器認識信号）等のコマンドを生成する。又、情報判定モジュール１５ｂは、例えば、要素機器２が発するＲＦ信号（電波信号）に含まれる要素機器情報に基づき要素機器２がホスト装置１の純正規格に適応するか否かを判定する。
【００２４】
リーダ・ライタ１１に内蔵された送信回路１６は、要素機器認識信号（要素機器情報要求コマンド）等の信号を送信アンテナ１３を介して要素機器２に送信する回路であり、ＲＦフロントエンド部、中間周波数（ＩＦ）部、ベースバンド部を備える。送信回路１６のベースバンド部には処理制御回路１５からのディジタルのベースバンド信号をアナログ信号に変換するＤ−Ａ変換器がそれぞれ備えられている。ディジタルのベースバンド信号は、Ｄ−Ａ変換器により、アナログのベースバンド信号となり、ベースバンドフィルタを介して、変調回路を備えるＩＦ部に入力される。変調回路のミキサにおいて発振器からの搬送波のＲＦ周波数と混合され、変調される。変調の方式は、無線タグ２０側の方式と同じであれば、位相変調、周波数変調或いは、振幅変調のいずれでも構わない。ＩＦ部の出力は、送信回路１６のＲＦフロントエンド部を構成するＭＭＩＣに供給される。ＭＭＩＣがＲＦ増幅したＲＦ信号が、送信アンテナ１３に供給される。
【００２５】
一方、リーダ・ライタ１１に内蔵された受信回路１７は、要素機器２からの各種情報を受信アンテナ１４を介して電気信号に復調する回路で、ＲＦフロントエンド部、ＩＦ部、ベースバンド部を備える。受信アンテナ１４を介して入力されたＲＦ信号は、ＲＦフロントエンド部で、ミキサを介してＩＦ信号を生成する。ＩＦ信号はＩＦ部に入力される。ＩＦ部は、復調回路を備え、無線タグ２０から送られた信号が復調される。復調の方式は、無線タグ２０側の方式と同一の方式が採用される。ＩＦ部が備えるミキサにおいて、更に低周波のベースバンド信号がそれぞれ生成され、ベースバンド信号は、Ａ−Ｄ変換器でディジタル信号に変換され、処理制御回路１５に入力される。
【００２６】
図１に示す純正機器判別システムにおいて、例えば図４に示すように、外装（外観）が同じ複数の要素機器（消耗品）２ａ〜２ｄが存在する場合を考える。図４では、要素機器２ｃは、図３に示す要素機器２と同じ構成であり、ホスト装置１の純正規格に適応する純正規格機器であるとして説明する。即ち、純正規格機器である要素機器２ｃのみが、無線タグ２０を備えていると仮定する。一方、要素機器２ａ，２ｂ及び２ｄは、要素機器２の模造機器であると仮定する。即ち、要素機器２ａ、要素機器２ｂ及び要素機器２ｄは、無線タグ２０を備えていない。以下、この様な前提の下で、図１〜図４を用いて、第１実施の形態に係る純正機器判別方法について図５のフローチャートを参照して説明する。
【００２７】
（イ）先ず、ステップＳ２１０において、図４に示すように、要素機器２ａ〜２ｄのいずれかを近接・近傍型の無線タグ２０が動作可能な距離以内となるように、ホスト装置１に近づける。図４に示すようなコピー機の場合は、ホスト装置１としてのコピー機の内部に挿入若しくは、コピー機の内部の一部に接触・固定しても良い。但し、ここでは、ホスト装置１としてのコピー機の近傍に近づけるとして、以後の説明をする。要素機器２ａ〜２ｄのいずれかをホスト装置１の近傍に近づけた状態で、ホスト装置１を起動すると、起動時に、ホストコンピュータ（マイクロプロセッサ）１２により制御されて、リーダ・ライタ１１のコマンド生成モジュール１５ａが要素機器情報要求コマンド（要素機器認識信号）を生成する。或いは、要素機器２ａ〜２ｄが、このコピー機のトナーボトルとすれば、トナーが残り少なくなったとき、ホストコンピュータ（マイクロプロセッサ）１２により制御されて、「トナーを補給してください」というメッセージをコピー機の操作パネルの表示部に表示すると同時に、コマンド生成モジュール１５ａが要素機器情報要求コマンドを生成するようにしても良い。そして、リーダ・ライタ１１の送信回路１６が、要素機器認識信号（要素機器情報要求コマンド）をホスト装置１の送信アンテナ１３を介して、ホスト装置１の近傍に近づけられた対応する要素機器２ａ〜２ｄのいずれかに送信する。
【００２８】
（ロ）模造要素機器２ａ，２ｂ及び２ｄのいずれかがホスト装置１の近傍に近づけられた場合には、これらの模造要素機器２ａ，２ｂ，２ｄのいずれもが無線タグ２０を備えていない。そのため、ステップＳ２２０において、ホスト装置１から送信された要素機器認識信号（要素機器情報要求コマンド）を受信できない。要素機器認識信号を受信できなければ、ホスト装置１に対して無応答となるので、処理を終了する。このとき、コピー機の操作パネルの表示部に「用意されたトナーボトルは模造品です。専用（純正）のトナーボトルを用意してください」というメッセージを表示しても良い。一方、ステップＳ２１０において、ホスト装置１に近づけたのが、純正規格機器（専用のトナーボトル）である場合には、要素機器２ｃは、無線タグ２０を備えている。そのため、ステップＳ２３０において、要素機器２ｃが備えるＩＣチップ２１は、送受信アンテナ２２を介して受信したＲＦ信号（電波信号）から、要素機器認識信号を復調する。
【００２９】
（ハ）次に、ステップＳ２４０において、無線タグ２０の認識信号判定モジュール２４ａは、ホスト装置１から送られてきた要素機器認識信号（要素機器情報要求コマンド）に基づき、要素機器２ｃは、自己が要素機器２ｃを純正規格機器（専用品）とするホスト装置１に対応しているか否かを判定する。要素機器２ｃが、自己を純正規格機器とするホスト装置１に対応すると判定した場合に、無線タグ２０の情報読み出しモジュール２４ｂは、要素機器２ｃの固有の情報（要素機器情報）をメモリ２５の要素機器情報格納部２５ｂから読み出す。一方、要素機器２ｃが、自己を純正規格機器とするホスト装置１に対応しないと判定された場合に、無線タグ２０は、その後の処理を終了する。要素機器２ｃが、自己を純正規格機器とするホスト装置１に対応しないと判定された場合には、ホスト装置１に対して無応答となるので、コピー機の操作パネルの表示部に、再び「用意されたトナーボトルは模造品です。専用（純正）のトナーボトルを用意してください」というメッセージを表示しても良い。
【００３０】
（ニ）次に、ステップＳ２５０において、無線タグ２０のＩＣチップ２１は、自己の固有の情報（要素機器情報）でキャリア周波数を変調してＲＦ信号（電波信号）を生成する。このＲＦ信号（電波信号）は、送受信アンテナ２２を介してをホスト装置１に送信される。次に、ステップＳ２６０において、ホスト装置１のリーダ・ライタ１１が備える受信回路１７に、要素機器情報が受信アンテナ１４を介して電気信号として伝達される。
【００３１】
（ホ）次に、ステップＳ２７０において、リーダ・ライタ１１の処理制御回路１５の情報判定モジュール１５ｂは、無線タグ２０から送られた要素機器情報に基づき要素機器２ｃがホスト装置１の純正規格に適応するか否か判定する。情報判定モジュール１５ｂが、要素機器情報に基づき要素機器２ｃがホスト装置１の純正規格に適応すると判定すれば、ホスト装置１がコピー機であれば、このとき、コピー機の操作パネルの表示部に「トナー補給カバーを開けてください」等のトナーの補給方法の必要な表示がされる。一方、情報判定モジュール１５ｂが、要素機器２ｃがホスト装置１の規格に適応しないと判定された場合に、リーダ・ライタ１１は、要素機器２ｃを純正規格機器として認識せず、トナー補給カバーはロックされた状態で、トナーボトルをトナー補給口に挿入できないように、機械的に禁止する。
【００３２】
この様に、第１実施の形態に係る純正機器判別システムによれば、無線タグ２０を備えない模造要素機器２ａ，２ｂ，２ｄである場合に、要素機器認識信号（要素機器情報要求コマンド）を受信できない。その結果、純正機器判別システムは、ホスト装置１が模造要素機器２ａ，２ｂ，２ｄからの要素機器情報を受信しなくても、純正規格機器でないことを簡単に判別できる。更に、その要素機器２ａ〜２ｄをホスト装置１取り付けて、実際に動作させなくても簡単に、且つ完璧に純正規格機器でないことを判別できる。即ち、ホスト装置１に模造要素機器２ａ，２ｂ，２ｄのいずれかが近づけられた状態において、ホスト装置１を、起動、若しくはホスト装置１が動作中に所定の状態に到達すると直ちに、模造要素機器２ａ，２ｂ，２ｄが純正規格機器ではないと判定できる。このため、模造要素機器２ａ，２ｂ，２ｄを使用したことが原因でホスト装置１が故障するトラブル、更にはホスト装置１を操作している人への被害等も確実に防止できる。又、要素機器２ｃがホスト装置１から送られた要素機器認識信号（要素機器情報要求コマンド）を受信すると、無線タグ２０は、要素機器認識信号に基づき要素機器２ｃがホスト装置１の純正規格に適応するか否か判定できるので、無線タグ２０を有する競合する他社の要素機器等であっても、その使用を排除できる。このため、外見上ではその判断がつかない、著しく品質の劣る不法コピー品等の要素機器２も簡単に判別できるので、そのホスト装置１の本来の性能及びその結果物（製品）の品質を保つことができる。
【００３３】
尚、無線タグ２０は、バーコード等に比べて複製するのが難しいため、無線タグ２０を備える第１実施の形態に係る純正機器判別システムは他の純正機器判別システムに比べてセキュリティが高くなる。
【００３４】
（第２の実施の形態）
本発明の第２の実施の形態に係る純正機器判別システムは、図１と同様に、リーダ・ライタ１１、ホストコンピュータ（マイクロプロセッサ）１２、リーダ・ライタ１１に接続された送信アンテナ１３、受信アンテナ１４等を備えるホスト装置１と、無線タグ２０を備える要素機器２との組み合わせからなる。
【００３５】
第２の実施の形態に係る要素機器２が備える無線タグ２０は、図６に示すように、ＩＣチップ２１、及びＩＣチップ２１に接続された送受信アンテナ２２等を備え、且つＩＣチップ２１が、変復調回路２３、変復調回路２３に接続された処理制御回路２４、処理制御回路２４に接続されたメモリ２５等を備えている点で図３と共通している。しかし、メモリ２５が、カードアドレスを格納するカードアドレス情報格納部２５ａ、要素機器情報を格納する要素機器情報格納部２５ｂの他に、更に、無線タグ２０へのアクセスに使用するアクセスキーを格納するアクセスキー情報格納部２５ｃ、無線タグ２０のセキュリティ機能に関するセキュリティ情報を格納するセキュリティ情報格納部２５ｄ、ホスト装置１に関する情報を格納するホスト装置情報格納部２５ｅ、要素機器２が使用済みか否か等の要素機器２の履歴情報等を格納する履歴情報格納部２５ｆ及びユーザ情報を格納するユーザ情報格納部２５ｇ等を備える点で図３とは異なる。更に、ＩＣチップ２１の処理制御回路２４は、図３の認識信号判定モジュール２４ａ及び情報読み出しモジュール２４ｂに加え、順序論理回路２４ｃを有する点で図３とは異なる。順序論理回路２４ｃは、通信状態の遷移を示す第１遷移フラグ（フラグＡ）２４１及び第２遷移フラグ（フラグＢ）２４２、更には、第１遷移フラグ２４１及び第２遷移フラグ２４２の遷移状態を設定する状態遷移設定部２４３を備える。第１遷移フラグ２４１及び第２遷移フラグ２４２は、例えばフリップフロップ回路で構成すれば良く、状態遷移設定部２４３には組み合わせ論理回路を使用可能である。
【００３６】
ホスト装置１の構造等他の構成は、第１の実施の形態と実質的に同様であるので、重複した記載を省略する。
【００３７】
第２の実施の形態に係る純正機器判別方法は、図６に示す処理制御回路２４が備える第１遷移フラグ（フラグＡ）２４１及び第２遷移フラグ（フラグＢ）２４２の２系統の遷移フラグにより、通信状態や情報の読み出しを制御する点に特徴がある。前述したように、ホスト装置１の構造は、第１の実施の形態の図１、図２と実質的に同様である。このため、第１の実施の形態で説明した図１、図２を含めて、図６を参照しながら、第２の実施の形態に係る純正機器判別方法を、図７のフローチャートに従って説明する。
【００３８】
（イ）先ず、ステップＳ３１０において、状態遷移設定部２４３は、第１遷移フラグ（フラグＡ）２４１及び第２遷移フラグ（フラグＢ）２４２の初期状態（遷移状態）をそれぞれ”０（第１遷移状態）”とする。そして、状態遷移設定部２４３は、各種コマンドを受信するまで第１遷移フラグ（フラグＡ）２４１及び第２遷移フラグ（フラグＢ）２４２の遷移状態を”０（第１遷移状態）”に維持して、受信状態となるのを待つ。次に、ステップＳ３１１では、何らかのコマンドを要素機器２が受信したか否かを判定する。コマンド受信待ち状態において、図４に示すように、要素機器２を近接・近傍型の無線タグ２０が動作可能な距離以内となるように、ホスト装置１に近づける。図４に示すようなコピー機の場合は、ホスト装置１としてのコピー機の内部に挿入若しくは、コピー機の内部の一部に接触・固定しても良い。但し、第１の実施の形態と同様に、第２の実施の形態でも、ホスト装置１としてのコピー機の近傍に近づけて、コマンド受信待ち状態にするとして、以後の説明をする。要素機器２をホスト装置１の近傍に近づけたコマンド受信待ち状態で、ホスト装置１を起動すると、起動時に、図２に示すホストコンピュータ（マイクロプロセッサ）１２により制御されて、リーダ・ライタ１１のコマンド生成モジュール１５ａが要素機器２対する各種コマンドを生成する。第１の実施の形態と同様に、要素機器２が、このコピー機のトナーボトルとすれば、トナーが残り少なくなったとき、「トナーを補給してください」というメッセージをコピー機の操作パネルの表示部に表示すると同時に、ホストコンピュータ（マイクロプロセッサ）１２により制御されて、コマンド生成モジュール１５ａが各種コマンドを生成するようにしても良い。そして、リーダ・ライタ１１の送信回路１６が、要素機器コマンドをホスト装置１の送信アンテナ１３を介して、ホスト装置１の近傍に近づけられた対応する要素機器２に送信する。ステップＳ３１１でコマンドを要素機器２が受信しないと判定されれば、無線タグ２０は、受信状態となるのを待ち続ける。ステップＳ３１１で、無線タグ２０がホスト装置１からの何らかのコマンドを要素機器２が受信したと判定すれば、無線タグ２０はステップＳ３１２に進む。尚、第１の実施の形態に係る純正機器判別システムと同様に、無線タグ２０を備えていない模造要素機器がホスト装置１の近傍に近づけられた場合には、ホスト装置１から送信された各種コマンドを受信できないので、ホスト装置１に対して無応答となるので、処理を終了する。
【００３９】
（ロ）ステップＳ３１２において、先ず、何らかのコマンドが、要素機器２に対する正しい要素機器情報要求コマンドか否かを無線タグ２０が判断する。
【００４０】
即ち、無線タグ２０の認識信号判定モジュール２４ａは、自己（無線タグ２０）が要素機器２を純正規格機器（専用品）とするホスト装置１に対応しているか否かを判定する。ステップＳ３１２において、受信したコマンドが正規の要素機器情報要求コマンドであると判断された場合、ステップＳ３１３に進み、無線タグ２０からホスト装置１へ要素機器情報を送信する。ステップＳ３１３で、要素機器情報を送信後、ステップＳ３１４に進み、ステップＳ３１４では、ホスト装置１へ送信した要素機器情報を基に、状態遷移設定部２４３は、履歴情報格納部２５ｆに格納された要素機器の履歴情報を参照して、第１遷移フラグ（フラグＡ）２４１を”０（第１遷移状態）”若しくは”１（第２遷移状態）”にセットする。例えば、履歴情報格納部２５ｆに「使用済登録信号」が要素機器の履歴情報として格納されている場合は、状態遷移設定部２４３は、第１遷移フラグ（フラグＡ）２４１を”０（第１遷移状態）”にセットし、そうでない場合は、第１遷移フラグ（フラグＡ）２４１を”１（第２遷移状態）”にセットする。具体的には、例えば、図１及び図４に示すようにホスト装置１がコピー機で、これの要素機器が、このコピー機のトナーボトルとすれば、トナーが残り少なくなったとき、「トナーを補給してください」というメッセージをコピー機の操作パネルの表示部に表示すると同時に、無線タグ２０に、「使用済登録信号」を送る。すると、無線タグ２０の状態遷移設定部２４３は、履歴情報格納部２５ｆに、「使用済登録信号」を要素機器の履歴情報として格納しておく。従って、この使用済のトナーボトルの場合は、間違って、或いは意図的に、再使用を試みても、無線タグ２０の状態遷移設定部２４３は、要素機器の履歴情報を参照して、第１遷移フラグ（フラグＡ）２４１を”０（第１遷移状態）”にセットする。その後、ステップＳ３４０において、ホスト装置１のリーダ・ライタ１１は、処理を続けるか否か判断する。即ち、リーダ・ライタ１１の処理制御回路１５の情報判定モジュール１５ｂは、無線タグ２０から送られた要素機器情報に基づき要素機器２がホスト装置１の純正規格に適応するか否か判定する。情報判定モジュール１５ｂが、要素機器情報に基づき要素機器２がホスト装置１の純正規格に適応すると判定すれば、コマンド生成モジュール１５ａが次のコマンド（カードアドレス要求コマンド）を生成する。ホスト装置１のリーダ・ライタ１１が、処理を続ける場合は、図７のステップＳ３１１の前まで戻り、無線タグ２０は、コマンド受信待ち状態へと移行する。一方、情報判定モジュール１５ｂが、要素機器２がホスト装置１の規格に適応しないと判定された場合に、リーダ・ライタ１１は、要素機器２を認識せず、処理を続けない場合となるので、純正機器判別システムは、ここで処理を終了する。この場合、トナー補給カバーはロックされた状態で、トナーボトルをトナー補給口に挿入できないように、機械的に禁止する。
【００４１】
（ハ）処理を続ける場合、無線タグ２０は、再び、コマンド受信待ち状態からステップＳ３１１を経てステップＳ３１２に至る。ステップＳ３１２において、受信したコマンドが要素機器情報要求コマンド以外であると判断された場合、無線タグ２０は、ステップＳ３２０に進む。ステップＳ３２０において、第１遷移フラグ（フラグＡ）２４１が”０（第１遷移状態）”の場合、無線タグ２０は無応答である。例えば、履歴情報格納部２５ｆに「使用済登録信号」が要素機器の履歴情報として格納されている場合は、状態遷移設定部２４３は、第１遷移フラグ（フラグＡ）２４１を”０（第１遷移状態）”にセットしているので、ステップＳ３２０を経て無応答（ステップＳ３３２）になる。その後、ステップＳ３４０において、ホスト装置１のリーダ・ライタ１１は、処理を続けるか否か判断する。処理を続ける場合に、ステップＳ３１１の前まで戻り、無線タグ２０は、コマンド受信待ち状態へと移行する。一方、処理を続けない場合には、純正機器判別システムは、ここで処理を終了する。ステップＳ３３２の無応答のループが続く場合、或いは一定の時間無応答となれば、純正機器判別システムは、ここで自動的に処理を終了するようにしても良い。要素機器２が、純正規格機器でない場合にも、ステップＳ３２０を経て無応答（ステップＳ３３２）となるので、コピー機の操作パネルの表示部に、「専用（純正）のトナーボトルを用意してください」というメッセージを表示してから、処理を終了しても良い。
【００４２】
（ニ）一方、コマンド受信待ち状態からステップＳ３１１，Ｓ３１２を経てステップＳ３２０に至り、ステップＳ３２０において、第１遷移フラグ（フラグＡ）２４１が１と判断された場合は、ステップＳ３２１に進む。ステップＳ３２１において、無線タグ２０は受信したコマンドがカードアドレス要求コマンドか否かを判別する。
【００４３】
（ホ）ステップＳ３２１において、カードアドレス要求コマンドであると判断された場合は、ステップＳ３２２へ進む。ステップＳ３２２では、無線タグ２０はカードアドレスを送信し、ステップＳ３２３へ進む。ステップＳ３２３では、状態遷移設定部２４３が第２遷移フラグ（フラグＢ）２４２を”１（第２遷移状態）”にセットする。その後、ステップＳ３４０において、ホスト装置１のリーダ・ライタ１１は、処理を続けるか否か判断する。処理を続ける場合に、ステップＳ３１１の前まで戻り、無線タグ２０は、コマンド受信待ち状態へと移行する。更に、カードアドレスを受信したホスト装置１のリーダ・ライタ１１は、カードアドレスを基に、第２の実施の形態に係る純正機器判別方法の通信に必要なアクセスキーを生成する。一方、処理を続けない場合には、純正機器判別システムは、ここで処理を終了する。
【００４４】
（ヘ）処理を続ける場合、無線タグ２０は更に、コマンド受信待ち状態からステップＳ３１１，Ｓ３１２、Ｓ３２０を経てステップＳ３２１に至る。ステップＳ３２１において、受信したコマンドがカードアドレス要求コマンド以外と判断された場合であれば、ステップＳ３３０に進む。ステップＳ３３０において、第２遷移フラグ（フラグＢ）２４２が”０（第１遷移状態）”の場合、無線タグ２０は無応答（ステップＳ３３２）で、ステップＳ３４０において、ホスト装置１のリーダ・ライタ１１は、処理を続けるか否か判断する。処理を続ける場合に、ステップＳ３１１の前まで戻り、無線タグ２０は、コマンド受信待ち状態へと移行する。一方、処理を続けない場合には、純正機器判別システムは、ここで処理を終了する。一方、ステップＳ３３０において第２遷移フラグ（フラグＢ）２４２が”１（第２遷移状態）”の場合、ステップＳ３３１に進む。ステップＳ３３１において、認識信号判定モジュール２４ａは、ホスト装置１から送られたアクセスキーが正しいか否かを、カードアドレスを基に判定する。アクセスキーが正しければ、無線タグ２０は各種情報を読み出す。こうして、第１遷移フラグ（フラグＡ）２４１、及び第２遷移フラグ（フラグＢ）２４２が共に”１（第２遷移状態）”となると、全てのコマンドのアクセスがアクセスキーを用いて可能となる。例えば、ステップＳ３３０において、第２遷移フラグ（フラグＢ）２４２の遷移状態が”１（第２遷移状態）”である場合に、無線タグ２０は、セキュリティ情報要求コマンド、ホスト装置情報要求コマンド、ユーザ情報要求コマンド等のコマンドをアクセスキーと共に受信する。受信する信号が例えばセキュリティ情報要求コマンドである場合に、無線タグ２０は、アクセスキーを識別した後、セキュリティ情報をメモリ２５のセキュリティ情報格納部２５ｄから読み出す。同様に、ホスト装置情報要求コマンドである場合に、無線タグ２０は、アクセスキーを識別した後、メモリ２５のホスト装置情報格納部２５ｅからホスト装置情報を、ユーザ情報要求コマンドである場合に、無線タグ２０は、アクセスキーを識別した後、ユーザ情報をメモリ２５のユーザ情報格納部２５ｇから読み出す。そして、ステップＳ３４０に進み、ホスト装置１のリーダ・ライタ１１は、処理を続けるか否か判断する。処理を続ける場合に、ステップＳ３１１の前まで戻り、無線タグ２０は、コマンド受信待ち状態へと移行する。一方、処理を続けない場合には、純正機器判別システムは、ここで処理を終了する。
【００４５】
この様に、第２の実施の形態に係る純正機器判別システムにおいては、無線タグ２０内部に通信状態の遷移を示すフラグとして第１遷移フラグ（フラグＡ）２４１、第２遷移フラグ（フラグＢ）２４２の２系統を設けている。そして、ホスト装置１のリーダ・ライタ１１が無線タグのメモリ２５に格納された各種の情報を得ようとするとき、情報入手の手順として、（ａ）要素機器情報、（ｂ）カードアドレスの読み出し後、即ちフラグＡ＝フラグＢ＝１でなければ、メモリ２５に格納された各種の情報を読み出すことはできない。更に第１遷移フラグ（フラグＡ）２４１が１となる条件は、履歴情報格納部２５ｆに格納された要素機器の履歴情報によって設定できるようにすることで、例えば使用済みの要素機器２に内蔵されている履歴情報格納部２５ｆの要素機器の履歴情報に、第１遷移フラグ（フラグＡ）２４１が１とならないようなデータを書き込むことで、以後完全に無線タグ２０へとの通信が不可能（無応答となる）とすることができ、無線タグ２０のメモリ２５に格納された各種情報の流出を防ぐことができる。
【００４６】
又、第２の実施の形態に係る純正機器判別システムによれば、第１遷移フラグ（フラグＡ）２４１、第２遷移フラグ（フラグＢ）２４２の２つのフラグが共に１となり、要素機器２へ取り付けられた無線タグ２０との通信が可能となったとき、その通信時に用いられるアクセスキーは、カードアドレスを基に生成される。このため、万が一、１つの無線タグ２０のアクセスキーが解析されても、そのアクセスキーはその無線タグ２０固有のものであり、他の無線カードのアクセスには用いることができないため、システム全体のセキュリティ性を高めることができる。
【００４７】
更に、第２の実施の形態に係る純正機器判別システムによれば、第１の実施の形態と同様に、様々なホスト装置１と、そのホスト装置１に取り付けられている要素機器２との組み合わせからなるシステムにおいて、要素機器２がそのホスト装置１の規格に適応しているかを、その要素機器２を取り付けて実際に動作させなくても簡単に判別できる。特に、外見上ではその判断がつかない、著しく品質の劣る不法コピー品等の要素機器２も簡単に判別できるので、そのホスト装置１本来の性能及びその結果物（製品）の品質を保つことができる。又、模造品を使用したことが原因でホスト装置１本体の故障、更には操作している人への被害等も確実に防止できる。
【００４８】
（その他の実施の形態）
上記のように、本発明は第１及び第２の実施の形態によって記載したが、この開示の一部をなす論述及び図面はこの発明を限定するものであると理解すべきではない。この開示から当業者には様々な代替実施の形態、実施例及び運用技術が明らかとなろう。従って、本発明の技術的範囲は上記の説明から妥当な特許請求の範囲に係る発明特定事項によってのみ定められるものである。
【００４９】
【発明の効果】
本発明によれば、システムのセキュリティ性が高く、不正に模造された要素機器の使用を簡単に防止することが可能で、ホスト装置の主性能及びホスト装置の結果物（製品）の品質を一定に保つことができる純正機器判別システム、これによる純正機器判別方法、これらに用いられるリーダ・ライタ及び無線タグを提供することができる。
【図面の簡単な説明】
【図１】本発明の第１及び第２の実施の形態に係る純正機器判別システムの構成を示す概略図である。
【図２】本発明の第１及び第２の実施の形態に係るホスト装置の構成を示すブロック図である。
【図３】本発明の第１の実施の形態に係る要素機器の構成を示すブロック図である。
【図４】本発明の第１の実施の形態に係る純正機器判別システムの純正機器判別方法を説明する概略図である。
【図５】本発明の第１の実施の形態に係る純正機器判別方法を示すフローチャートである。
【図６】本発明の第２の実施の形態に係る要素機器の構成を示すブロック図である。
【図７】本発明の第２の実施の形態に係る純正機器判別方法を示すフローチャートである。
【符号の説明】
１…ホスト装置
２…要素機器
２ａ，２ｂ，２ｄ…模造要素機器
２ｃ…（純正）要素機器
１１…リーダ・ライタ
１２…ホストコンピュータ（マイクロプロセッサ）
１３…送信アンテナ
１４…受信アンテナ
１５…処理制御回路
１５ａ…コマンド生成モジュール
１５ｂ…情報判定モジュール
１６…送信回路
１７…受信回路
２０…無線タグ
２１…ＩＣチップ
２２…送受信アンテナ
２３…変復調回路
２４…処理制御回路
２４ａ…認識信号判定モジュール
２４ｂ…情報読み出しモジュール
２４ｃ…順序論理回路
２５…メモリ
２５ａ…カードアドレス情報格納部
２５ｂ…要素機器情報格納部
２５ｃ…アクセスキー情報格納部
２５ｄ…セキュリティ情報格納部
２５ｅ…ホスト装置情報格納部
２５ｆ…履歴情報格納部
２５ｇ…ユーザ情報格納部
２４１…第１遷移フラグ
２４２…第２遷移フラグ
２４３…状態遷移設定部
【図１】
2004341836.tif 000003
【図２】
2004341836.tif 000004
【図３】
2004341836.tif 000005
【図４】
2004341836.tif 000006
【図５】
2004341836.tif 000007
【図６】
2004341836.tif 000008
【図７】
2004341836.tif 000009